(57)【要約】【課題】窓額縁の部品構成を複雑にすることなく、窓額縁を接着剤やねじ留めによることなく取付けができるサッシ枠と、これを用いた開口部構造と、建物を提供することにある。【解決手段】本発明のサッシ枠１は、サッシ枠本体２の屋内側に差し口３が一体に突設され、該差し口３は、開口額縁４の屋外方向に向かって突出する突出部４１を差し込むものであり、差し込んだ開口額縁４の突出部４１を挟み付けた状態にて取着可能になされていることを特徴とする。【選択図】  図１
2004225272.tif 000002
【特許請求の範囲】
【請求項１】
サッシ枠本体の屋内側に差し口が一体に突設され、該差し口は、開口額縁の屋外方向に向かって突出する突出部を差し込むものであり、該差し口は、差し込んだ開口額縁の突出部を挟み付けた状態にて取着可能になされていることを特徴とするサッシ枠。
【請求項２】
前記差し口は、対向する２枚の受け板との間に凹溝を形成して構成され、受け板には凹溝内部に向かって突出する突起が形成され、受け板の少なくとも一方は弾性変形可能になされていることを特徴とする請求項１記載のサッシ枠。
【請求項３】
請求項２記載のサッシ枠が建物の開口部に取り付けられ、このサッシ枠の差し口に開口額縁の突出部が差し込まれて取着され、開口額縁は内壁室内側面の開口周縁を覆う立面化粧部を備えた開口部構造であって、
開口額縁の前記突出部に凹所を形成しておき、この凹所に差し口の受け板に形成された前記突起が嵌め込まれ、開口額縁の立面化粧部の屋外側側面である当接部を開口部の内壁周縁に当接させてなることを特徴とする開口部構造。
【請求項４】
請求項３記載の開口部構造を備えていることを特徴とする建物。
【発明の詳細な説明】
【０００１】
【発明の属する技術分野】
本発明は、サッシ枠と、これを用いた開口部構造と、建物に関する。
【０００２】
【従来の技術】
従来の開口額縁として、サッシの内側端部に係合されるサッシ側係合部および窓枠の内周に沿って内壁側に延伸される嵌合部を有する第１部材と、この第１部材の嵌合部に離脱不自在に係合される先端部および内壁との当接面を有する第２部材とを備えた開口額縁が知られている（特許文献１参照）。
上記特許文献１に記載の開口額縁によると、第１部材がサッシの内側端部に係合されるサッシ側係合部を有しているので、接着剤やねじ留めによることなく取付けがなし得るので、開口額縁の窓枠への取付け施工が簡素化される。
【０００３】
【特許文献１】
特開平１１−１４８２７４号公報
【０００４】
【発明が解決しようとする課題】
しかしながら、上記特許文献１記載のような開口額縁にあっては、第１部材と第２部材との２部品とから構成されるので、部品構成が複雑となり、通常の開口額縁に比べてコストアップするという問題がある。
【０００５】
本発明の課題は、開口額縁の部品構成を複雑にすることなく、開口額縁を接着剤やねじ留めによることなく取付けができるサッシ枠と、これを用いた開口部構造と、建物を提供することにある。
【０００６】
【課題を解決するための手段】
請求項１記載の発明は、サッシ枠本体の屋内側に差し口が一体に突設され、該差し口は、開口額縁の屋外方向に向かって突出する突出部を差し込むものであり、該差し口は、差し込んだ開口額縁の突出部を挟み付けた状態にて取着可能になされていることを特徴とするサッシ枠である。
【０００７】
請求項２記載の発明は、請求項１記載のサッシ枠において、前記差し口は、対向する２枚の受け板との間に凹溝を形成して構成され、受け板には凹溝内部に向かって突出する突起が形成され、受け板の少なくとも一方は弾性変形可能になされていることを特徴とする。
【０００８】
請求項３記載の発明は、請求項２記載のサッシ枠が建物の開口部に取り付けられ、このサッシ枠の差し口に開口額縁の突出部が差し込まれて取着され、開口額縁は内壁室内側面の開口周縁を覆う立面化粧部を備えた開口部構造であって、
開口額縁の前記突出部に凹所を形成しておき、この凹所に差し口の受け板に形成された前記突起が嵌め込まれ、開口額縁の立面化粧部の屋外側側面である当接部を開口部の内壁周縁に当接させてなることを特徴とする。
【０００９】
請求項４記載の発明は、請求項３記載の開口部構造を備えていることを特徴とする建物である。
【００１０】
（作用）
請求項１記載の本発明のサッシ枠によると、サッシ枠本体の屋内側に差し口が一体に突設され、該差し口は、開口額縁の屋外方向に向かって突出する突出部を差し込むものであり、該差し口は、差し込んだ開口額縁の突出部を挟み付けた状態にて取着可能になされているので、開口額縁を接着剤やねじ留めによることなく取付けができる。
この際、従来技術１のように、開口額縁の部品構成を複雑にすることはなく、設計変更なしで既成の開口額縁を使用できる。しかも、サッシ枠の差し口は、サッシ枠本体と一体になされているので、サッシ枠の部材使用量も概ね変わらない。
【００１１】
請求項２記載の本発明のサッシ枠によると、さらに、前記差し口は、対向する２枚の受け板との間に凹溝を形成して構成され、受け板の少なくとも一方は弾性変形可能になされているので、開口額縁を差し込むときには、２枚の受け板の間隔を広げれば、差し込みが容易である。
開口額縁を差し込んだ後は、受け板の弾性回復によって挟み付けた状態となり、しかも、受け板には凹溝内部に向かって突出する突起が形成されているので、挟み付けた開口額縁を差し口から抜けにくくする。
【００１２】
請求項３記載の本発明の開口部構造によると、開口額縁の前記突出部に凹所を形成しておき、この凹所に差し口の受け板に形成された前記突起が嵌め込まれ、開口額縁の立面化粧部の屋外側側面である当接部を開口部の内壁周縁に当接させてなるので、開口額縁を差し口に接着剤やねじ留めによることなく強固に取り付けできる。
【００１３】
請求項４記載の本発明の建物によると、請求項３記載の開口部構造を備えているので、請求項３記載の発明と同様の作用を奏する。
【００１４】
【発明の実施の形態】
図１は、本発明の一実施の形態を示し、（イ）は窓構造の一部を示す断面図、（ロ）はサッシ枠の一部を示す斜視図、（ハ）は開口額縁の一部を示す斜視図である。
【００１５】
（サッシ枠）
本実施の形態のサッシ枠１は、硬質アルミニウムの形材であって、図１（ロ）に示すように、サッシ枠本体２と、サッシ枠本体２から屋内側に突出し、差し口３を形成する相対向する２枚の下受け板３１，上受け板３２とからなる。
差し口３は、開口額縁４の屋外方向に向かって突出する突出部４１を差し込むものである。すなわち、サッシ枠本体２の屋内側に差し口３が一体に突設されたものである。
上記差し口３は、差し込んだ開口額縁４の突出部４１を挟み付けた状態にて取着可能になされている。
【００１６】
前記差し口３は、相対向する２枚の下受け板３１と上受け板３２との間に凹溝３３を形成して構成されている。下受け板３１の先端部には、先の尖ったＶ字形の突起３４が凹溝３３内部に向かって、すなわち上に向かって突出するように形成されている。
下受け板３１と上受け板３２は、弾性変形容易なように、薄肉になされている。
【００１７】
（建物の開口部構造）
本実施の形態の建物の開口部構造は、図１（イ）に示すように、上記サッシ枠１が建物の開口部に取り付けられ、サッシ枠本体２の屋外側を開口部の外壁６の周縁と水密に接するようにしたものである。
このサッシ枠１のサッシ枠本体２には、２枚の窓障子５，５が装着され、差し口３には、開口額縁４の突出部４１が差し込まれて取着されている。
【００１８】
上記開口額縁４は、木質材料で形成され、見映えをよくする必要がある場合には、表面に仕上げシート等を張り付けて仕上げたものである。
図１（ハ）に示すように、開口額縁４は、屋外方向に向かって突出する突出部４１と、この突出部４１の突出方向に直交する方向に張り出して内壁室内側面の開口周縁を覆う立面化粧部４２を備えており、全体で断面略Ｌ字形になされた長尺体である。
開口額縁４の前記突出部４１の裏面側には、逆Ｖ字形の凹所４３が形成されている。この凹所４３に、差し口３の下受け板３１に形成された前記突起３４が嵌め込まれている。開口額縁４の立面化粧部４２の屋外側側面である内壁当接部４４は、開口部のつなぎ内壁８周縁に当接させる。
つなぎ内壁８は、釘１０で木桟９に取り付けられ、開口額縁４と内壁７との間を埋めるように設けられた位置調整用の内壁である。
【００１９】
（実施の形態の作用）
本実施の形態のサッシ枠１によると、サッシ枠本体２の屋内側には、開口額縁４の屋外方向に向かって突出する突出部４１を差し込む差し口３が一体に突設され、この差し口３は差し込んだ開口額縁４の突出部４１を挟み付けた状態にて取着可能になされているので、開口額縁４を接着剤やねじ留めによることなく取付けができる。
この際、開口額縁４の部品構成を複雑にすることはなく、設計変更なしで既成の開口額縁４を使用できる。しかも、サッシ枠１の差し口３は、サッシ枠本体２と一体になされているので、サッシ枠１の部材使用量も概ね変わらない。
さらにまた、開口額縁４をサッシ枠１にビス等でねじ留めしないので、額縁仕上げシートのしわ発生を無くすことができる。
【００２０】
本実施の形態のサッシ枠１によると、さらに、前記差し口３は、対向する２枚の上、下の受け板３１，３２との間に凹溝３３を形成して構成され、受け板３１，３２は弾性変形容易なように、薄肉になされているので、開口額縁４を差し込むときには、２枚の受け板３１，３２の間隔を広げれば、差し込みが容易である。
開口額縁４を差し込んだ後は、受け板３１，３２の弾性回復によって挟み付けた状態となり、しかも、下受け板３１には凹溝内部に向かって突出する先の尖った突起３４が形成されているので、挟み付けた開口額縁４を差し口３から抜けにくくする。
【００２１】
本実施の形態の開口部構造によると、開口額縁４の前記突出部４１に凹所４３を形成しておき、この凹所４３に差し口３の下受け板３１に形成された前記突起３４が嵌め込まれ、開口額縁４の立面化粧部４２の屋外側側面である内壁当接部４４を、開口部のつなぎ内壁８周縁に当接させるので、開口額縁４を差し口３に接着剤やねじ留めによることなく強固に取り付けできる。
【００２２】
以上、本発明の一実施の形態を図面により詳述したが、本発明の具体的な構成はこの実施の形態に限られるものではなく、本発明の要旨を逸脱しない範囲の設計の変更等があっても本発明に含まれる。
【００２３】
【発明の効果】
請求項１記載の本発明のサッシ枠によると、開口額縁の部品構成を複雑にすることはなく、開口額縁を接着剤やねじ留めによることなく取付けができるので、意匠性の向上と、部材費や取付け工数の削減が図れる。
【００２４】
請求項２記載の本発明のサッシ枠によると、さらに、開口額縁の差し込みが容易であり、開口額縁を差し込んだ後は、挟み付けた開口額縁を差し込み口から抜けにくくする。
【００２５】
請求項３記載の本発明の開口部構造によると、開口額縁を差し口に接着剤やねじ留めによることなく強固に取り付けできる。
【００２６】
請求項４記載の本発明の建物によると、請求項３記載の開口部構造を備えているので、請求項３記載の発明と同様の作用効果を奏する。
【図面の簡単な説明】
【図１】本発明の一実施の形態を示し、（イ）は窓構造の一部を示す断面図、（ロ）はサッシ枠の一部を示す斜視図、（ハ）は開口額縁の一部を示す斜視図である。
【符号の説明】
１        サッシ枠
２        サッシ枠本体
３        差し口
３１，３２    受け板
３３          凹溝
３４          突起
４        開口額縁
４１      突出部
４２      立面化粧部
４３      凹所
４４      内壁当接部
【図１】
2004225272.tif 000003